(57)【要約】【課題】  開閉動作性や密閉性、使用感等を向上する。【解決手段】  軸筒１０は、筆記部１１を前方へ突出させた本体部１２と、本体部１２よりも細身に形成されるとともに該本体部１２から前方へ突出して筆記部１１の外周を筒状に保持する筒状保持部１３とを具備し、キャップ２０は、本体部１２に枢支される外筒２１と、外筒２１の内側に設けられる内筒２２とを備え、一方向への円弧運動により内筒２２を筒状保持部１３に対し前方側から嵌め合せるとともに外筒２１を本体部１２に当接させ、逆方向への円弧運動により本体部１２及び筒状保持部１３から離脱するように構成され、内筒２２と筒状保持部１３とが嵌り合う軸筒軸方向の位置を、枢支部１２ｃの位置に対応させるとともに、外筒２１と本体部１２とが当接し合う軸筒軸方向の位置を、枢支部１２ｃの位置よりも後方側に配置した。【選択図】  図１
2014083700.tif 000002
【特許請求の範囲】
【請求項１】
筆記部を前方へ突出した軸筒と、該軸筒に枢支されるとともにその枢支部を中心にした円弧運動により前記筆記部を覆ったり開放したりするキャップとを備えたマーキングペンにおいて、
前記軸筒は、前記筆記部を前方へ突出させた本体部と、該本体部よりも細身に形成されるとともに該本体部から前方へ突出して前記筆記部の外周を筒状に保持する筒状保持部とを具備し、
前記キャップは、前記本体部に枢支される外筒と、該外筒の内側に設けられる内筒とを備え、一方向への円弧運動により前記内筒を前記筒状保持部に対し前方側から嵌め合せるとともに前記外筒を前記本体部に当接させ、逆方向への円弧運動により前記本体部及び前記筒状保持部から離脱するように構成され、
前記内筒と前記筒状保持部とが嵌り合う軸筒軸方向の位置を、前記枢支部の位置に対応させるとともに、前記外筒と前記本体部とが当接し合う軸筒軸方向の位置を、前記枢支部の位置よりも後方側に配置したことを特徴とするマーキングペン。
【請求項２】
前記外筒と前記本体部との当接面が、前記枢支部から離れるにつれて軸筒後方へ向かう傾斜面状であって、且つ前記筒状保持部と交差する傾斜面状に形成されていることを特徴とする請求項１記載のマーキングペン。
【請求項３】
前記筒状保持部及び前記筆記部を、前記本体部の中心軸よりも枢支部から離して配置したことを特徴とする請求項１又は２記載のマーキングペン。
【請求項４】
開放した際の前記キャップが、前記本体部における枢支部寄りの部分に嵌り合って係止されるようにしたことを特徴とする請求項３記載のマーキングペン。
【請求項５】
前記本体部は、前記筒状保持部の軸心方向に対し直交する一方向の寸法が、該一方向に直交し且つ前記軸心方向に対しても直交する他方向の寸法よりも小さい扁平状に形成され、その厚み方向の一方側の面に接続部を有するとともに、その他方側の面には、前記接続部に対し着脱可能な被接続部を有することを特徴とする請求項１乃至４何れか１項記載のマーキングペン。
【発明の詳細な説明】
【技術分野】
【０００１】
本発明は、繊維状物や合成樹脂のペン先を使用したマーキングペンであって、ラインマーカーや、蛍光ペン、蛍光マーカー、ホワイトボードマーカー、フェルトペン、サインペン等を含むマーキングペンに関するものである。
【背景技術】
【０００２】
従来、この種の発明には、例えば特許文献１に記載されるもののように、筆記部（芯先５）を前方へ突出した角柱状の軸筒（主筒１）と、該軸筒に回動可能に支持され円弧運動により前記筆記部を覆ったり開放したりするキャップ（２）とを備えた折り返し式の筆記具がある。
このような折り返し式の筆記具によれば、軸筒からキャップを分離しないで用いるため、キャップの紛失を防ぐことができる。
【０００３】
しかしながら、前記従来技術では、キャップを円弧運動させる構造等に起因して、キャップを直線運動により着脱する構造と比較し、回動するキャップが筆記部に干渉し易いという問題がある。このため、特に、前記のように円弧運動するキャップを具備して例えばマーキングペンを構成しようとした場合には、キャップによる密閉性も高く維持しなければならないので、工夫を要する。
また、前記従来技術では、円弧運動するキャップを角柱状の軸筒の前端に当接させる構造であるため、筆記時には、角柱状の軸筒の前端が紙面に近接して、筆記部や筆記線が視認し難くなってしまうおそれがある。
【先行技術文献】
【特許文献】
【０００４】
【特許文献１】実開平２−３１７８６号公報
【発明の概要】
【発明が解決しようとする課題】
【０００５】
本発明は上記従来事情に鑑みてなされたものであり、その課題とする処は、円弧運動により嵌脱するキャップを具備したマーキングペンにおいて、キャップの開閉動作性や、キャップによる密閉性、筆記時の使用感等を向上することにある。
【課題を解決するための手段】
【０００６】
上記課題を解決するための一手段は、筆記部を前方へ突出した軸筒と、該軸筒に枢支されるとともにその枢支部を中心にした円弧運動により前記筆記部を覆ったり開放したりするキャップとを備えたマーキングペンにおいて、前記軸筒は、前記筆記部を前方へ突出させた本体部と、該本体部よりも細身に形成されるとともに該本体部から前方へ突出して前記筆記部の外周を筒状に保持する筒状保持部とを具備し、前記キャップは、前記本体部に枢支される外筒と、該外筒の内側に設けられる内筒とを備え、一方向への円弧運動により前記内筒を前記筒状保持部に対し前方側から嵌め合せるとともに前記外筒を前記本体部に当接させ、逆方向への円弧運動により前記本体部及び前記筒状保持部から離脱するように構成され、前記内筒と前記筒状保持部とが嵌り合う軸筒軸方向の位置を、前記枢支部の位置に対応させるとともに、前記外筒と前記本体部とが当接し合う軸筒軸方向の位置を、前記枢支部の位置よりも後方側に配置したことを特徴とする。
【発明の効果】
【０００７】
本発明は、以上説明したように構成されているので、円弧運動により嵌脱するキャップを具備したマーキングペンにおいて、キャップの開閉動作性や、キャップによる密閉性、筆記時の使用感等を向上することができる。
【図面の簡単な説明】
【０００８】
【図１】本発明に係るマーキングペンの一例を示す斜視図である。
【図２】同マーキングペンの側面図でありキャップを開いた状態を示す。
【図３】同マーキングペンの縦断面図である。
【図４】図２における（IV）‐（IV）線に沿う断面図である。
【図５】図２における（V）‐（V）線に沿う断面図である。
【図６】同マーキングペンの使用状態図である。
【図７】図２における（VI）‐（VI）線に沿う断面図であり、マーキングペンを複数接続した状態を示す。
【発明を実施するための形態】
【０００９】
本実施の形態の第一の特徴は、筆記部を前方へ突出した軸筒と、該軸筒に枢支されるとともにその枢支部を中心にした円弧運動により前記筆記部を覆ったり開放したりするキャップとを備えたマーキングペンにおいて、前記軸筒は、前記筆記部を前方へ突出させた本体部と、該本体部よりも細身に形成されるとともに該本体部から前方へ突出して前記筆記部の外周を筒状に保持する筒状保持部とを具備し、前記キャップは、前記本体部に枢支される外筒と、該外筒の内側に設けられる内筒とを備え、一方向への円弧運動により前記内筒を前記筒状保持部に対し前方側から嵌め合せるとともに前記外筒を前記本体部に当接させ、逆方向への円弧運動により前記本体部及び前記筒状保持部から離脱するように構成され、前記内筒と前記筒状保持部とが嵌り合う軸筒軸方向の位置を、前記枢支部の位置に対応させるとともに、前記外筒と前記本体部とが当接し合う軸筒軸方向の位置を、前記枢支部の位置よりも後方側に配置した（図１〜図３参照）。
これらの構成によれば、キャップを閉鎖方向へ円弧運動させると、該キャップの内筒が筒状保持部に嵌り合うとともに、その嵌合位置よりも軸筒軸方向の後方側でキャップの外筒が本体部に当接し、その閉鎖動作性が良好である。そして、この閉鎖状態では、内筒と筒状保持部とが枢支部と同じ軸方向位置で嵌合し、その嵌合箇所を外筒により覆うことができる。
また、キャップを開放方向へ円弧運動させると、該キャップの内筒が筒状保持部から離れるとともに、外筒が本体部から離れ、その開放動作性が良好である。
そして、キャップを軸筒から離した状態では、本体部におけるキャップとの当接面が、枢支部の位置よりも後方側に位置し、この当接面よりも前方へ細身の筒状保持部が突出して、該筒状保持部が筆記部を保持するため、前記当接面と被筆記面との距離を比較的大きく確保でき、筆記時における良好な使用感を得ることができる（図６参照）。
【００１０】
第二の特徴は、前記外筒と前記本体部との当接面が、前記枢支部から離れるにつれて軸筒後方へ向かう傾斜面状であって、且つ前記筒状保持部と交差する傾斜面状に形成されている（図２参照）。
この構成によれば、筆記姿勢の際に、本体部における傾斜面状の前記当接面が、被筆記面に近接し難い位置関係となり（図６参照）、筆記時における良好な使用感を得ることができる。
【００１１】
第三の特徴は、前記筒状保持部及び前記筆記部を、前記本体部の中心軸よりも枢支部から離して配置した。
この構成によれば、キャップの回動半径が比較的大きくなり、より良好な嵌脱性を得ることができる上、軸筒を開放状態のキャップと逆側の部分を手前側に向けるようにして筆記姿勢をとった場合（図６参照）に、筒状保持部及び筆記部が手前側で被筆記面に近づくため、筆記部及び筆記線の視認性が向上し、筆記時における使用感をいっそう向上することができる。
【００１２】
第四の特徴は、開放した際の前記キャップが、前記本体部における枢支部寄りの部分に嵌り合って係止されるようにした。
この構成によれば、開放した際のキャップを、筆記時に邪魔にならないように係止できる上、その係止構造を、本体部における枢支部寄りの部分に容易に確保することができる。
【００１３】
第五の特徴は、前記本体部は、前記筒状保持部の軸心方向に対し直交する一方向の寸法が、該一方向に直交し且つ前記軸心方向に対しても直交する他方向の寸法よりも小さい扁平状に形成され、その厚み方向の一方側の面に接続部を有するとともに、その他方側の面には、前記接続部に対し着脱可能な被接続部を有する。
この構成によれば、複数の当該マーキングペンを省スペースに接続することができ、ひいては、当該マーキングペンの収納性や搬送性等を向上することが可能になる。
【００１４】
また、本実施の形態の更なる特徴としては、前記本体部における前記他方向の一端面に前記枢支部を設けるとともに、前記他方向の他端面には凸曲面状の曲面部を設ける。
この構成によれば、本体部における枢支部と反対側の部分を人差し指と親指の間に挟むとともに、曲面部を中指で受けて筆記姿勢を取った際に、良好な把持感触を得ることができ（図６参照）、ひいては当該マーキングペンの使用感を一層向上することができる。
【００１５】
また、本実施の形態の更なる特徴としては、キャップにより気密性を向上するために、前記内筒及び前記筒状保持部は円筒状に形成され、前記内筒は前記筒状保持部の外周部に全周にわたって嵌り合う。
【００１６】
また、本実施の形態の更なる特徴としては、より収納性及び搬送性等を向上するために、閉鎖状態の前記キャップ及び前記軸筒の外観形状を、扁平な略直方体状に形成する。
【００１７】
また、本実施の形態の更なる特徴としては、前記キャップを全開した状態の保持を良好にするために、前記キャップにおける枢支部側に、前記キャップを全開した際に前記本体部に嵌り合うように突片部を設けるとともに、前記本体部には前記突片部を嵌脱する嵌合凹部を設け、前記突片部には、前記嵌合凹部に嵌り合った際に、該嵌合凹部の平坦状の内側面に押圧される小突起を有する。
【００１８】
なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」又は「軸筒遠心方向」とは、軸筒径方向に沿って軸筒中心から離れる方向を意味する。「軸筒径内方向」又は「軸筒求心方向」とは、軸筒径方向に沿って軸筒中心へ近づく方向を意味する。
【００１９】
次に、上記形態の好ましい具体例を、図面に基づいて詳細に説明する。
【００２０】
このマーキングペン１は、繊維集束体からなる筆記部を前方へ突出した軸筒１０と、該軸筒１０に枢支されるとともにその枢支部１２ｃを中心にした双方向への円弧運動により前記筆記部を覆ったり開放したりするキャップ２０とを備え、キャップ２０を閉鎖した状態で扁平な略直方体状であって且つ平面視矩形状に構成される（図１〜図３参照）。
【００２１】
軸筒１０には、筆記部１１と、該筆記部１１を前方へ突出させた本体部１２と、該本体部１２よりも細身に形成されるとともに該本体部１２から前方へ突出して前記筆記部１１の外周を筒状に保持する筒状保持部１３と、本体部１２内に設けられたインク含浸体１４と、軸筒１０の後端開口部を閉鎖する尾栓１５とが具備される（図３参照）。
【００２２】
筆記部１１は、多数の合成繊維を集束してなる繊維集束体であり、その後端部を本体部１２内でインク含浸体１４に圧入させるとともに、前端部を本体部１２前端の筒状保持部１３から前方へ突出しており、インク含浸体１４に含浸されたインクを、多数の繊維間の毛細管力によって前方へ導く（図３参照）。
この筆記部１１の前端部は、図示例によれば、前方へ向かって厚みを徐々に狭くした楔状に形成され、その突端の傾斜する直線状部分１１ａが被筆記面Ｘに当接されるようにしている（図６参照）。このような形状の筆記部１１は、チゼルタイプと呼称される場合がある。
前記直線状部分１１ａは、軸筒径方向に対し傾斜し且つ軸筒１１の扁平状の本体部１２の平坦状部分１２ａに平行する直線状に形成される。この構成によれば、軸筒１０が厚み方向に挟まれて把持され筆記が行われた際（図６参照）に、最大限に太い線を転写することが可能である。
【００２３】
本体部１２は、筒状保持部１３の軸心方向に対し直交する一方向（図２の奥行方向）の寸法が、該一方向に直交し且つ前記軸心方向に対しても直交する他方向（図２の左右方向）の寸法よりも小さい扁平状に形成される。
より詳細に説明すれば、この本体部１２は、厚み方向（前記一方向）の両端面をそれぞれ平坦状部分１２ａ（図１参照）とし、その前端部に傾斜面部１２ｂ（図２参照）を有し、傾斜面部１２ｂの前寄りの部分に交差する端面に枢支部１２ｃ（図２参照）を有し、前記交差する端面における後方側に全開状態のキャップ２０に嵌り合う嵌合凹部１２ｄ（図３参照）を有し、傾斜面部１２ｂの後寄りの部分に交差する端面に断面半円状の曲面部１２ｅ（図１参照）を有し、両平坦状部分１２ａの一方と他方に接続部１２ｆと被接続部１２ｇ（図７参照）を有し、内部にはインク含浸体１４を収納するインク収容部１２ｈ（図３参照）を有する。
【００２４】
平坦状部分１２ａは、本体部１２の厚み方向の一端側と他端側に略平行に配置された平坦状の面である。これら平坦状部分１２ａは、図６に示すように、当該マーキングペン１が使用される際に、親指ｐと人差し指ｉによって挟まれる面である。
この平坦状部分１２ａには、前記厚み方向の一端側の壁部と、他端側の壁部に、後述する接続部１２ｆ及び被接続部１２ｇを構成するための、貫通孔１２ａ１，１２ａ２（図７参照）が設けられる。
【００２５】
傾斜面部１２ｂは、枢支部１２ｃから軸筒径方向（図２によれば左右方向）へ離れるにつれて軸筒後方へ向かう平坦な傾斜面状であって、且つ筒状保持部１３と交差する傾斜面状に形成される。この傾斜面部１２ｂを前方へ延長した仮想平面は、枢支部１２ｃの略中心部を通過するようになっている。
そして、この傾斜面部１２ｂは、閉鎖された際のキャップ２０を受ける受面として作用する。
この傾斜面部１２ｂの傾斜角度は、筆記部１１前端の直線状部分１１ａの傾斜角度と略同等の角度、又は直線状部分１１ａよりも若干急こう配な角度に設定される。この角度設定によれば、図６に示すように、筆記部１１前端の直線状部分１１ａを被筆記面Ｘに当接させて筆記が行われた際に、キャップ２０と逆側の手前となる部分と被筆記面Ｘとの間の距離ｈを比較的広く確保することができ、ひいては、本体部１２の前端側が被筆記面Ｘに近接又は接触するのを防ぐとともに、筆記部１１及び該筆記部１１による筆記線の視認性を向上して、筆記時の使用感を良好にすることができる。
【００２６】
枢支部１２ｃは、本体部１２の厚み方向に交差する方向であって軸筒軸方向でない方向（図２の左右方向）の端面における前端寄りに設けられた円筒状の突起であり、その軸心方向を、本体部１２の厚み方向へ向けている。この枢支部１２ｃは、本体部１２の厚み方向に間隔を置いて二つ設けられる。そして、これら二つの本体部１２，１２の間にキャップ２０の軸部２１ｃを枢支している（図５参照）。
【００２７】
嵌合凹部１２ｄは、本体部１２における枢支部１２ｃ寄りの部分に形成された凹部であり、軸筒軸方向へわたる溝状を呈し、その内部の対向する内側面１２ｄ１，１２ｄ１（図４参照）を、略平行な平坦面状に形成している。
【００２８】
曲面部１２ｅは、本体部１２の厚み方向に直交し且つ軸筒軸方向にも直交する方向（図２の左右方向）において、嵌合凹部１２ｄと逆側の端面に形成された断面半円状の凸曲面である（図１及び図４参照）。
この曲面部１２ｅは、当該マーキングペン１が、図６に示すように、厚み方向へ親指ｐと人差し指ｉに挟まれて把持された際に、中指ｍに接触する部分となり、このように３点支持された際の把持感触を良好にしている。
【００２９】
接続部１２ｆは、図７に示すように、本体部１２の一方の平坦状部分１２ａから突出する凸部であり、被接続部１２ｇは、本体部１２の他方の平坦状部分１２ａに形成された凹部である。
接続部１２ｆの突端側の両側面（図７によれば左右の端面）には、被接続部１２ｇの係止用の小突起１２ｆ１，１２ｆ１が設けられる。各小突起１２ｆ１は、図示例によれば、軸筒軸方向へ連続するする縦リブ状の単一の突起としているが、他例としては、部分的な突起を軸筒軸方向へ間隔を置いて複数設けるようにしてもよい。
この接続部１２ｆは、図示例によれば、本体部１２と別体の部材を、本体部１２の貫通孔１２ａ１に嵌め合せることで構成されるが、本体部１２と一体成形することも可能である。
【００３０】
被接続部１２ｇは、接続部１２ｆに嵌脱可能な断面凹状に形成され、詳細に説明すれば、本体部１２の貫通孔１２ａ２の内縁と、その内部で前記内縁よりも幅広な内側面１２ｇ１とからなる断面略凹状（図７参照）に形成される。
この被接続部１２ｇは、図示例によれば、本体部１２とは別体の部材を、本体部１２に嵌合することで構成されるが、本体部１２と一体成形することも可能である。
【００３１】
インク収容部１２ｈは、本体部１２内において前端側を筒状保持部１３に連通するとともに後端側を開放し、他の部分を壁面とした空間である。このインク収容部１２ｈには、後方側からインク含浸体１４が挿入され、その後、このインク収容部１２ｈの後端開口部は、尾栓１５によって閉鎖される。
インク含浸体１４は、多数の合成繊維からなる中綿又はフェルトにインクを含浸させたものである。
【００３２】
また、筒状保持部１３は、本体部１２前端の傾斜面部１２ｂから軸筒軸方向に沿って前方へ突出するとともに、その内部を前記インク収容部１２ｈに連通させた円筒状に形成されている。この筒状保持部１３は、図示例によれば、本体部１２と一体に成形されているが、本体部１２とは別体の部材を本体部１２に対し接続してなる構成とすることも可能である。
この筒状保持部１３は、より詳細に説明すれば、その前端側に、後部側よりも一回りほど外径を小さくした円筒状の小径部１３ａを有する。この小径部１３ａは、キャップ２０の内筒２２が弾性的に嵌脱されるようにその外径が調整されている。
この筒状保持部１３は、本体部１２の中心軸よりも枢支部１２ｃから遠い位置に設けられる。すなわち、この筒状保持部１３の中心軸は、本体部１２の中心軸に対し、反枢支部側へ適宜な幅ｗだけ離れて配置される（図２参照）。前記幅は、後述するキャップ２０の嵌脱性が良好なように適宜に調整された寸法である。
【００３３】
また、筒状保持部１３とキャップ２０の内筒とが嵌り合う軸筒軸方向の位置は、枢支部１２ｃの位置に対応している。
図示例について、より具体的に説明すれば、筒状保持部１３の前端面（より詳細には小径部１３ａの前端面）の軸筒軸方向の位置（図２の上下方向位置）と、枢支部１２ｃの中心部の軸筒軸方向の位置とが略一致するように、筒状保持部１３が配置されている。すなわち、筒状保持部１３の前端面を延長した仮想平面上に、枢支部１２ｃの中心部が位置する（図２参照）。
この配置によれば、キャップ２０の円弧運動、及び該円弧運動によるキャップ２０の内筒２２と筒状保持部１３との嵌脱をスムーズに行うことができる。
【００３４】
そして、上記構成の筒状保持部１３には、筆記部１１が挿通され、筒状保持部１３は、筆記部１１の外周部を筒状に覆って保持する。
【００３５】
また、キャップ２０は、本体部１２に枢支される外筒２１と、該外筒２１の内面に対し間隔を置いて設けられる内筒２２とを具備する一体形状に形成され、一方向（図３によれば時計方向）への円弧運動により内筒２２を筒状保持部１３に対し前方側から嵌め合せるとともに外筒２１を本体部１２前端の傾斜面部１２ｂに当接させ、逆方向への円弧運動により本体部１２及び筒状保持部１３から離脱する。
【００３６】
外筒２１は、キャップ２０の閉鎖状態において、本体部１２の外周面に対し前方へ連続するように設けられ、その前端側を底部とするとともに後端側を開口部とした有底筒状に形成される。
この外筒２１は、厚み方向の両端各々に位置する平坦状部分２１ａと、後端側で本体部１２前端の傾斜面部１２ｂに対し当接する傾斜状開口端部２１ｂと、平坦状部分１２ａの枢支部１２ｃに嵌り合う軸部２１ｃと、本体部１２の嵌合凹部１２ｄに嵌脱する突片部２１ｄと、本体部１２の曲面部１２ｅに連続するように設けられた凸曲状の曲面部２１ｅとを有する。
【００３７】
平坦状部分２１ａは、本体部１２の平坦状部分１２ａに連続するように設けられた平坦状の面である。この平坦状部分２１ａは、当該マーキングペン１が図７に示すように厚み方向へ複数接続され重ね合わせられた際に、キャップ２０同士を当接させて、その接続状態を安定させる。
【００３８】
傾斜状開口端部２１ｂは、枢支部１２ｃから軸筒径方向へ離れるのにつれて軸筒後方へ向かう傾斜状の開口端面である。この傾斜状開口端部２１ｂと本体部１２の傾斜面部１２ｂとの当接箇所は、キャップ２０の内筒２２と筒状保持部１３との嵌合箇所よりも軸筒後方側に位置している。この配置によれば、筒状保持部１３及び筆記部１１がより前方側に位置するため、筆記時に筆記部１１及び筆記線が視認し易い上、前記嵌合箇所の側方が外筒２１によって覆われるため、インクの流出防止にもなる。
【００３９】
軸部２１ｃは、キャップ２０の厚み方向に交差する方向であって軸筒軸方向でない方向（図２の左右方向）の端面における後端寄りに設けられた軸状の突起であり、その軸心方向を、キャップ２０の厚み方向へ向けている。
より詳細に説明すれば、この軸部２１ｃは、その軸方向の両端に円柱状の突起２１ｃ１，２１ｃ１（図５参照）を有する。これら両突起２１ｃ１，２１ｃ１は、キャップ２０の全開状態（図２に示す状態）において、本体部１２側の枢支部１２ｃ，１２ｃ間を弾性的に押し拡げるようにしてこれら枢支部１２ｃ，１２ｃ間に挿入され（図５参照）、回転自在に支持される。なお、図５中の符号２１ｃ１１は、枢支部１２ｃ，１２ｃ間への軸部２１ｃの挿入を容易にする面取り部である。この面取り部２１ｃ１１は、キャップ２０の全開状態において、各突起２１ｃ１の軸筒１０寄りの角部分に、Ｃ面取り状又はＲ面取り状に形成される。
【００４０】
突片部２１ｄは、閉鎖状態のキャップ２０の前端側であって、且つ軸部２１ｃ寄りの角部分に設けられ、キャップ２０における他の部分よりも薄肉な三角板状に形成されている。
この突片部２１ｄの厚み方向の両端面には、本体部１２の嵌合凹部１２ｄに圧接するための突起２１ｄ１，２１ｄ１が設けられる。各突起２１ｄ１は、図示例によれば、凸曲面状に突出する突起であり、図４に示すように、突片部２１ｄが嵌合凹部１２ｄに嵌り合った際に、嵌合凹部１２ｄの内側面１２ｄ１に圧接され、その際の摩擦抵抗によってキャップ２０の全開状態を保持する。
なお、この平坦状部分２１ａには、必要に応じて、ストラップ又はストラップを取り付けるための貫通孔を設けてもよい。
【００４１】
また、内筒２２は、外筒２１内の底面から後方へ突出してその突端である開口端部を後方へ向けた有底略円筒状に形成される。この内筒２２の開口端部は、外筒２１の開口端部よりも前側に位置し、筒状保持部１３の前端側の外周面に対し、その前方側から嵌り合う。この嵌合状態では、内筒２２と筒状保持部１３とは同軸状に位置するとともに全周にわたって密接し、その内部の空間を密閉する。そして、この密閉状態で、内筒２２内には、筆記部１１の前端側の部分が位置する（図３参照）。
【００４２】
次に、上記構成のマーキングペン１について、その特徴的な作用効果を詳細に説明する。
キャップ２０を軸筒１０から引き離すようにして円弧運動させると、キャップ２０の内筒２２前端が筒状保持部１３から引き離される。この際、キャップ２０の内筒２２は、筆記部１１等に干渉することなくスムーズに回動する。
そして、回動したキャップ２０は、突片部２１ｄを嵌合凹部１２ｄに嵌め合せるとともに、該突片部２１ｄの突起２１ｄ１を、嵌合凹部１２ｄ内の内側面１２ｄ１に圧接させることで、全開状態（図２に示す状態）に保持される。
【００４３】
全開状態のマーキングペン１は、図６に示すように、曲面部１２ｅを手前側に向けて、両平坦状部分１２ａが親指ｐと人差し指ｉに挟まれ、さらに、曲面部１２ｅが中指ｍに受けられて、筆記姿勢がとられる。そして、この筆記姿勢にて、筆記部１１前端の直線状部分１１ａが被筆記面Ｘに当接されて、筆記線（図示せず）が引かれる。
この際、キャップ２０は軸筒１０の前側（図６によれば左側）に位置し、本体部１２の手前側の部分と被筆記面Ｘとの間には適当な距離ｈが確保される。このため、筆記時にキャップ２０が邪魔になったり、筆記部１１や筆記線が見え難くなるようなことがなく、使用感が良好である。
【００４４】
また、キャップ２０を閉鎖する際には、キャップ２０を軸筒１０に対し逆方向へ回動させれば、キャップ２０の突片部２１ｄが本体部１２の嵌合凹部１２ｄから外れる。そして、前記逆方向へ回動したキャップ２０は、内筒２２を筒状保持部１３に嵌め合せるとともに、その嵌合位置よりも軸筒後方側で外筒２１を傾斜面部１２ｂに当接させて閉鎖状態となる。
この閉鎖状態では、内筒２２の後端側の内周面は、筒状保持部１３の前端側の外周面に嵌合し、その内部を良好な密閉状態に維持する。
【００４５】
キャップ閉鎖状態のマーキングペン１は、複数厚み方向へ積み重ねるようにして接続することが可能である。図７を参照して説明すれば、下側のマーキングペン１における被接続部１２ｇに対し、上側のマーキングペン１における接続部１２ｆが凹凸状に嵌り合う。より詳細には、接続部１２ｆが本体部１２の貫通孔１２ａ２に挿通される際に、接続部１２ｆの小突起１２ｆ１が、貫通孔１２ａ２の内縁に圧接され若干弾性変形して該内縁よりも本体部１２内側へ移動し、その後に弾性的に復元する。したがって、接続部１２ｆが被接続部１２ｇに嵌り合った状態では、接続部１２ｆの小突起１２ｆ１が前記貫通孔１２ａ２の内縁に係止されて不用意には抜けないようになる。
よって、厚み方向へ多数接続されたマーキングペン１を、平坦面上に載置することができ、収納性及び運搬性等が良好である。
【００４６】
なお、本体部１２、接続部１２ｆ、キャップ２０及び尾栓１５は、それぞれ合成樹脂材料により成形されるが、キャップ２０の着脱や二つのマーキングペン１，１同士の連結及び離脱を可能にする程度の弾性を有すれば、金属材料等、他の材料から形成することも可能である。
【００４７】
また、図示例では、外筒２１と本体部１２とが当接し合う軸筒軸方向の位置を、枢支部１２ｃの位置よりも後方側に配置するために、外筒２１後端部及び本体部１２前端部を傾斜面状に形成したが、他例としては、外筒２１後端部及び本体部１２前端部を、枢支部１２ｃから離れるにつれて階段状に後退する形状とすることも可能である。
【００４８】
また、図示例では、特に好ましい態様として、軸筒１０及びキャップ２０を、軸筒軸方向に略直交する幅方向へ長尺な断面形状（扁平状）としたが、他例としては、これら軸筒１０及びキャップ２０を、断面円形状や、断面多角形状、その他の断面形状とすることも可能である。
【００４９】
また、図示例では、複数のマーキングペン１を接続するための接続部１２ｆ及び被接続部１２ｇを、本体部１２における厚み方向の両端面に設けたが、他例としては、接続部１２ｆ及び被接続部１２ｇをキャップ２０における厚み方向の両端面に設けることも可能である。
更に、他例としては、接続部１２ｆ及び被接続部１２ｇを本体部１２又はキャップ２０における横幅方向（図２によれば左右方向）の両端面に設けて、複数のマーキングペン１が横幅方向へ接続されるようにしたり、被接続部１２ｇと本体部１２を、それぞれキャップ２０の前端面と本体部１２の後端面に設け、複数のマーキングペン１が軸筒軸方向へ接続されるようにしたり等することも可能である。
【００５０】
また、図示例によれば、マーキングペン１は、中綿式のマーキングペンを構成したが、他例としては、中綿やフェルト等を用いずに軸筒１０内に直接インクを充填した直液式のマーキングペンを構成することも可能である。
【００５１】
また、図示例によれば、本体部１２側の二つの枢支部１２ｃ，１２ｃ間にキャップ２０側の単一の軸部２１ｃを支持する構造としたが、他例としては、二つの枢支部１２ｃ，１２ｃをキャップ２０側に設けるとともに単一の軸部２１ｃを本体部１２側に設けた態様や、単一の枢支部（図示せず）と単一の軸部（図示せず）とを回転自在に嵌め合せた態様等とすることも可能である。
【符号の説明】
【００５２】
１：マーキングペン            １０：軸筒
１１：筆記部                  １２：本体部
１２ａ：平坦状部分            １２ｂ：傾斜面部
１２ｃ：枢支部                １２ｄ：嵌合凹部
１２ｅ：曲面部                １２ｆ：接続部
１２ｇ：被接続部              １３：筒状保持部
２０：キャップ                ２１：外筒
２２：内筒                    ｉ：人差し指
ｐ：親指                      ｍ：中指
Ｘ：被筆記面
【図１】
2014083700.tif 000003
【図２】
2014083700.tif 000004
【図３】
2014083700.tif 000005
【図４】
2014083700.tif 000006
【図５】
2014083700.tif 000007
【図６】
2014083700.tif 000008
【図７】
2014083700.tif 000009